【手続補正書】
【提出日】平成20年6月12日(2008.6.12)
【手続補正１】
【補正対象書類名】明細書
【補正対象項目名】特許請求の範囲
【補正方法】変更
【補正の内容】
【特許請求の範囲】
【請求項１】  画像のシーケンスを表すビデオ信号を符号化して符号化されたビデオ信号を形成する方法であって、前記方法が、前記符号化されたビデオ信号中の基準画像の符号化順序を個別のシーケンス指示子値で示すステップを含み、前記シーケンス指示子値は、独立した順序番号付けスキームを有し、符号化の順に連続する基準画像は、連続する基準画像間で符号化された非基準画像の番号とは無関係の所定の大きさだけ互いに異なるシーケンス指示子値を付与されることを特徴とする方法。
【請求項２】  請求項１に記載の方法において、連続して符号化される基準画像間で、前記シーケンス指示子値を１だけインクリメントするステップを含むことを特徴とする方法。
【請求項３】  請求項１に記載の方法において、前記シーケンス指示子値を画像ヘッダ内に含めるステップを含むことを特徴とする方法。
【請求項４】  請求項１に記載の方法において、前記ビデオ信号をＨ．２６３規格に従って符号化するステップと、前記個別のシーケンス指示子値をＨ．２６３のビットストリームの「補助的エンハンスメント情報」内に含めるステップと、を含むことを特徴とする方法。
【請求項５】  請求項１に記載の方法において、シーケンス指示子値を画像全体と関連付けるステップを含むことを特徴とする方法。
【請求項６】  請求項１に記載の方法において、シーケンス指示子値を画像の一部分と関連付けるステップを含むことを特徴とする方法。
【請求項７】  請求項６に記載の方法において、前記シーケンス指示子値を符号化された画像の画像セグメント・ヘッダまたはマクロ・ブロック・ヘッダ内に含めるステップを含むことを特徴とする方法。
【請求項８】  請求項１に記載の方法において、多層符号化を使用して前記ビデオ信号を符号化し符号化された多層ビデオ信号を生成するステップと、前記多層符号化ビデオ信号の前記多層のそれぞれについて個別のシーケンス指示子値を提供するステップと、を含むことを特徴とする方法。
【請求項９】  符号化されたビデオ信号を復号化して画像のシーケンスを表す復号化されたビデオ信号を形成する方法であって、前記方法が、
復号化された基準画像を符号化の順に調べて前記復号化された基準画像に付与された個別のシーケンス指示子値の差を確認するステップであって、前記シーケンス指示子値は独立した順序番号付けスキームを有し、符号化の順に連続する基準画像は、連続する基準画像間で符号化された非基準画像の番号とは無関係の所定の大きさだけ互いに異なるシーケンス指示子値を付与されるステップと、
個別のシーケンス指示子値の前記確認された差を前記所定の大きさと比較して、基準画像の消失を検出するステップと、を含むことを特徴とする方法。
【請求項１０】  請求項９に記載の方法において、さらに、前記確認された差が前記所定の大きさと異なる時に、非時間的に予測された方法で符号化された画像を提供するようエンコーダに要求を送信するステップを含むことを特徴とする方法。
【請求項１１】  請求項９に記載の方法において、符号化の順に連続する基準画像に付与された前記シーケンス指示子値が１ずつ異なる時、前記比較において所定の大きさである１を用いるステップを含むことを特徴とする方法。
【請求項１２】  請求項９に記載の方法において、画像ヘッダからシーケンス指示子値を取得するステップを含むことを特徴とする方法。
【請求項１３】  請求項９に記載の方法において、Ｈ．２６３規格に従って符号化されたビデオ信号を受信するステップと、Ｈ．２６３のビットストリームの「補助的エンハンスメント情報」からシーケンス指示子値を取得するステップと、を含むことを特徴とする方法。
【請求項１４】  請求項９に記載の方法において、シーケンス指示子値が画像全体と関連付けられていることを特徴とする方法。
【請求項１５】  請求項９に記載の方法において、シーケンス指示子値が画像の一部分と関連付けられていることを特徴とする方法。
【請求項１６】  請求項１５に記載の方法において、前記シーケンス指示子値を、符号化された画像の画像セグメント・ヘッダまたはマクロ・ブロック・ヘッダから取得するステップを含むことを特徴とする方法。
【請求項１７】  請求項９に記載の方法において、符号化された多層ビデオ信号の各層について提供されたシーケンス指示子値の確認された差を調べ、前記層内の基準画像の消失を検出するステップを含むことを特徴とする方法。
【請求項１８】  画像のシーケンスを表すビデオ信号を符号化して符号化されたビデオ信号を形成するエンコーダであって、前記エンコーダは、前記符号化されたビデオ信号中の基準画像の符号化順序を個別のシーケンス指示子値で示すよう構成され、前記シーケンス指示子値は、独立した順序番号付けスキームを有し、符号化の順に連続する基準画像は、連続する基準画像間で符号化された非基準画像の番号とは無関係の所定の大きさだけ互いに異なるシーケンス指示子値を付与されることを特徴とするエンコーダ。
【請求項１９】  請求項１８に記載のエンコーダにおいて、前記エンコーダは連続して符号化される基準画像間で前記シーケンス指示子値を１だけインクリメントするよう構成されていることを特徴とするエンコーダ。
【請求項２０】  請求項１８に記載のエンコーダにおいて、前記エンコーダはシーケンス指示子値を画像ヘッダ内に含むよう構成されていることを特徴とするエンコーダ。
【請求項２１】  請求項１８に記載のエンコーダにおいて、前記エンコーダは前記ビデオ信号をＨ．２６３規格に従って符号化し、前記個別のシーケンス指示子値をＨ．２６３のビットストリームの「補助的エンハンスメント情報」内に含むよう構成されていることを特徴とするエンコーダ。
【請求項２２】  請求項１８に記載のエンコーダにおいて、前記エンコーダはシーケンス指示子値を画像全体と関連付けるよう構成されていることを特徴とするエンコーダ。
【請求項２３】  請求項１８に記載のエンコーダにおいて、前記エンコーダはシーケンス指示子値を画像の一部分と関連付けるよう構成されていることを特徴とするエンコーダ。
【請求項２４】  請求項２３に記載のエンコーダにおいて、前記エンコーダは前記シーケンス指示子値を符号化された画像の画像セグメント・ヘッダまたはマクロ・ブロック・ヘッダの中に含めるよう構成することを特徴とするエンコーダ。
【請求項２５】  請求項１８に記載のエンコーダにおいて、前記エンコーダは、多層符号化を使用して前記ビデオ信号を符号化し符号化された多層ビデオ信号を生成するとともに、前記多層符号化ビデオ信号の前記多層のそれぞれについて個別のシーケンス指示子値を提供するよう構成されていることを特徴とするエンコーダ。
【請求項２６】  符号化されたビデオ信号を復号化して画像のシーケンスを表す復号化されたビデオ信号を形成するデコーダであって、前記デコーダは、復号化された基準画像を符号化の順に調べて前記復号化された基準画像に付与された個別のシーケンス指示子値の差を確認するよう構成され、前記シーケンス指示子値は独立した順序番号付けスキームを有し、符号化の順に連続する基準画像は、連続する基準画像間で符号化された非基準画像の番号とは無関係の所定の大きさだけ互いに異なるシーケンス指示子値を付与され、
前記個別のシーケンス指示子値の前記確認された差を前記所定の大きさと比較して、基準画像の消失を検出するよう構成されていることを特徴とするデコーダ。
【請求項２７】  請求項２６に記載のデコーダにおいて、前記デコーダは、さらに、前記確認された差が前記所定の大きさと異なる時に、非時間的に予測された方法で符号化された画像を提供するようエンコーダに要求を送信するよう構成されていることを特徴とするデコーダ。
【請求項２８】  請求項２６に記載のデコーダにおいて、前記デコーダは、符号化の順に連続する基準画像に付与された前記シーケンス指示子値が１ずつ異なる時、前記比較において所定の大きさである１を用いるよう構成されていることを特徴とするデコーダ。
【請求項２９】  請求項２６に記載のデコーダにおいて、前記デコーダは画像ヘッダからシーケンス指示子値を取得するよう構成されていることを特徴とするデコーダ。
【請求項３０】  請求項２６に記載のデコーダにおいて、前記デコーダはＨ．２６３規格に従って符号化されたビデオ信号を受信し、Ｈ．２６３のビットストリームの「補助的エンハンスメント情報」からシーケンス指示子値を取得するよう構成されていることを特徴とするデコーダ。
【請求項３１】  請求項２６に記載のデコーダにおいて、シーケンス指示子値が画像全体と関連付けられていることを特徴とするデコーダ。
【請求項３２】  請求項２６に記載のデコーダにおいて、シーケンス指示子値が画像の一部分と関連付けられていることを特徴とするデコーダ。
【請求項３３】  請求項３２に記載のデコーダにおいて、前記デコーダは、前記シーケンス指示子値を、符号化された画像の画像セグメント・ヘッダまたはマクロ・ブロック・ヘッダから取得するよう構成されていることを特徴とするデコーダ。
【請求項３４】  請求項２６に記載のデコーダにおいて、前記デコーダは、符号化された多層ビデオ信号の各層について提供されたシーケンス指示子値の確認された差を調べ、前記層内の基準画像の消失を検出するよう構成されていることを特徴とするデコーダ。
【請求項３５】  請求項１８に記載のエンコーダまたは請求項２６に記載のデコーダを含むことを特徴とする携帯用無線通信装置。
【請求項３６】  請求項１８に記載のエンコーダまたは請求項２６に記載のデコーダを含むことを特徴とするマルチメディア端末装置。
【請求項３７】  画像のシーケンスを表すビデオ信号を符号化して符号化されたビデオ信号を形成するための装置であって、前記装置は、前記符号化されたビデオ信号中の基準画像の符号化順序を個別のシーケンス指示子値で示すよう構成され、前記シーケンス指示子値は、独立した順序番号付けスキームを有し、符号化の順に連続する基準画像は、連続する基準画像間で符号化された非基準画像の番号とは無関係の所定の大きさだけ互いに異なるシーケンス指示子値を付与されることを特徴とする装置。
【請求項３８】  符号化されたビデオ信号を復号化して画像のシーケンスを表す復号化されたビデオ信号を形成するための装置であって、前記装置は、復号化された基準画像を符号化の順に調べて前記復号化された基準画像に付与された個別のシーケンス指示子値の差を確認するよう構成され、前記シーケンス指示子値は独立した順序番号付けスキームを有し、符号化の順に連続する基準画像は、連続する基準画像間で符号化された非基準画像の番号とは無関係の所定の大きさだけ互いに異なるシーケンス指示子値を付与されており、前記個別のシーケンス指示子値の前記確認された差を前記所定の大きさと比較して、基準画像の消失を検出するよう構成されていることを特徴とする装置。
【請求項３９】  画像のシーケンスの符号化表現であって、前記画像のシーケンスの基準画像の符号化順序を示すための個別のシーケンス指示子値を含み、前記シーケンス指示子値は独立した順序番号付けスキームを有し、符号化の順に連続する基準画像が、連続する基準画像間で符号化された非基準画像の番号とは無関係の所定の大きさだけ互いに異なるシーケンス指示子値を付与されることを特徴とする符号化表現。
【請求項４０】  請求項３９に記載の画像のシーケンスの符号化表現において、連続して符号化された基準画像の前記シーケンス指示子値は１インクリメントずつ異なることを特徴とする符号化表現。
【請求項４１】  請求項３９に記載の画像のシーケンスの符号化表現において、前記シーケンス指示子値は画像ヘッダに含まれていることを特徴とする符号化表現。
【請求項４２】  請求項３９に記載の画像のシーケンスの符号化表現であって、Ｈ．２６３ビデオ符号化規格に従って符号化され、前記シーケンス指示子値はＨ．２６３のビットストリームの「補助的エンハンスメント情報」内に含まれることを特徴とする符号化表現。
【請求項４３】  請求項３９に記載の画像のシーケンスの符号化表現において、前記シーケンス指示子値が画像全体と関連付けられていることを特徴とする符号化表現
【請求項４４】  請求項３９に記載の画像のシーケンスの符号化表現において、前記シーケンス指示子値が画像の一部分と関連付けられていることを特徴とする符号化表現。
【請求項４５】  請求項４４に記載の画像のシーケンスの符号化表現において、前記シーケンス指示子値が符号化された画像の画像セグメント・ヘッダまたはマクロ・ブロック・ヘッダ内に含まれることを特徴とする符号化表現。
【請求項４６】  請求項３９に記載の画像のシーケンスの符号化表現において、前記符号化表現はスケーラブルに符号化され、シーケンス指示子値は前記スケーラブルに符号化された符号化表現の層と関連付けられていることを特徴とする符号化表現。